(57)【特許請求の範囲】
【請求項１】
移動通信システムにおいてＡＣＫ／ＮＡＣＫ信号を含む第１のタイプの制御信号、第２のタイプの制御信号及びデータ信号を含むリンク信号を伝送する方法であって、
参照信号を、複数のシンボルを備える２次元リソース領域の第１の特定シンボルに対応する予め決定されたタイムドメインユニットにマッピングし、前記２次元リソース領域は、第１の次元の複数のタイムドメインユニット及び第２の次元の複数の周波数ドメインユニットを備え、
前記第２のタイプの制御信号及びデータ信号を直列的に多重化し、
直列的に多重化した信号を前記２次元リソース領域にマッピングし、
前記第１の特定シンボルに隣接する第２の特定シンボルにマッピングされる前記多重化した信号の一部を上書きすることによって、前記第１のタイプの制御信号の少なくとも一部を前記第２の特定シンボルにマッピングし、
前記第２の特定シンボルに隣接する第３の特定シンボルにマッピングされる前記多重化した信号の一部を上書きすることによって、前記第１のタイプの制御信号の少なくとも一部を前記第３の特定シンボルにマッピングし、
前記２次元リソース領域にマッピングされた前記参照信号、前記第１のタイプの制御信号、前記第２のタイプの制御信号及び前記データ信号を伝送する方法。
【請求項２】
前記第２のタイプの制御信号を前記多重化した信号に配置した後に前記データ信号を前記多重化した信号の前記第２のタイプの制御信号に続けて配置するように前記多重化を実行する請求項１に記載の方法。
【請求項３】
前記多重化した信号を、前記複数のシンボルの各々の周波数ドメインの第１の方向で前記２次元リソース領域にマッピングし、前記第１のタイプの制御信号の少なくとも一部を、前記周波数ドメインの第２の方向で前記第２の特定シンボルにマッピングし、前記第２の方向は前記第１の方向の逆である請求項１に記載の方法。
【請求項４】
前記第１のタイプの制御信号によって上書きされた前記多重化した信号の一部は、前記第２のタイプの制御信号及び前記データ信号の一つ以上を含む請求項１に記載の方法。
【請求項５】
前記参照信号、前記第１のタイプの制御信号、前記第２のタイプの制御信号及び前記データ信号を物理上りリンク共有チャネル（ＰＵＳＣＨ）を介して伝送する請求項１に記載の方法。
【請求項６】
前記多重化した信号を、行列にマッピングし、前記第１のタイプの制御信号の少なくとも一部を、前記行列の特定の列の前記第２の特定シンボルにマッピングし、前記第２のタイプの制御信号を、前記特定の列に直交して配置された前記行列の特定の隣接する行に沿って延在してマッピングする請求項１に記載の方法。
【請求項７】
前記参照信号、前記第１のタイプの制御信号、前記第２のタイプの制御信号及び前記データ信号をＵＥから基地局までの上りリンクチャネルにおいて伝送する請求項１に記載の方法。
【請求項８】
前記上りリンクチャネルは物理上りリンク共有チャネル（ＰＵＳＣＨ）である請求項７に記載の方法。
【請求項９】
前記タイムドメインユニットはＳＣ−ＦＤＭＡシンボルに対応し、前記周波数ドメインユニットは仮想副搬送波に対応する請求項１に記載の方法。
【請求項１０】
前記第２のタイプの制御信号は、チャネル品質指示子（ＣＱＩ）及びＰＭＩ（Precoding Matrix Index）を備える請求項１に記載の方法。
【請求項１１】
前記第１の特定シンボルに隣接する第２の特定シンボルにマッピングされる前記多重化した信号の前記データ信号の一部を上書きすることによって、前記第１のタイプの制御信号の少なくとも一部を前記第２の特定シンボルにマッピングする請求項１に記載の方法。
【請求項１２】
前記第１のタイプの制御信号は、前記第２のタイプの制御信号より高い優先順位を有する請求項１に記載の方法。
【請求項１３】
移動通信システムにおいてＡＣＫ／ＮＡＣＫ信号を含む第１のタイプの制御信号、第２のタイプの制御信号及びデータ信号を含むリンク信号を伝送する通信装置であって、
前記第２のタイプの制御信号及びデータ信号を直列的に多重化するように構成されている多重化器と、
参照信号を、複数のシンボルを備える２次元リソース領域の第１の特定シンボルに対応する予め決定されたタイムドメインユニットにマッピングし、前記２次元リソース領域は、第１の次元の複数のタイムドメインユニット及び第２の次元の複数の周波数ドメインユニットを備え、多重化した信号を前記２次元リソース領域にマッピングし、前記第１の特定シンボルに隣接する第２の特定シンボルにマッピングされる前記多重化した信号の一部を上書きすることによって、前記第１のタイプの制御信号の少なくとも一部を前記第２の特定シンボルにマッピングし、前記第２の特定シンボルに隣接する第３の特定シンボルにマッピングされる前記多重化した信号の一部を上書きすることによって、前記第１のタイプの制御信号の少なくとも一部を前記第３の特定シンボルにマッピングするように構成されているマッパーと、
前記２次元リソース領域にマッピングされた前記参照信号、前記第１のタイプの制御信号、前記第２のタイプの制御信号及び前記データ信号を受信機に伝送するように構成されているトランスミッタと、
を備える通信装置。
【請求項１４】
前記多重化器は、前記第２のタイプの制御信号を前記多重化した信号に配置した後に前記データ信号を前記多重化した信号の前記第２のタイプの制御信号に続けて配置するように構成されている請求項１３に記載の通信装置。
【請求項１５】
前記マッパーは、前記多重化した信号を、前記複数のシンボルの各々の周波数ドメインの第１の方向で前記２次元リソース領域にマッピングし、前記第１のタイプの制御信号の少なくとも一部を、前記周波数ドメインの第２の方向で前記第２の特定シンボルにマッピングし、前記第２の方向は前記第１の方向の逆であるように構成されている請求項１３に記載の通信装置。
【請求項１６】
前記第１のタイプの制御信号によって上書きされた前記多重化した信号の一部は、前記第２のタイプの制御信号及び前記データ信号の一つ以上を含む請求項１３に記載の通信装置。
【請求項１７】
前記参照信号、前記第１のタイプの制御信号、前記第２のタイプの制御信号及び前記データ信号を物理上りリンク共有チャネル（ＰＵＳＣＨ）を介して伝送する請求項１３に記載の通信装置。
【請求項１８】
前記マッパーは、前記多重化した信号を、行列にマッピングし、前記第１のタイプの制御信号の少なくとも一部を、前記行列の特定の列の前記第２の特定シンボルにマッピングし、前記第２のタイプの制御信号を、前記特定の列に直交して配置された前記行列の特定の隣接する行に沿って延在してマッピングするように構成されている請求項１３に記載の通信装置。
【請求項１９】
前記トランスミッタは、前記参照信号、前記第１のタイプの制御信号、前記第２のタイプの制御信号及び前記データ信号をＵＥから基地局までの上りリンクチャネルにおいて伝送するように構成されている請求項１３に記載の通信装置。
【請求項２０】
前記上りリンクチャネルは物理上りリンク共有チャネル（ＰＵＳＣＨ）である請求項１９に記載の通信装置。
【請求項２１】
前記タイムドメインユニットはＳＣ−ＦＤＭＡシンボルに対応し、前記周波数ドメインユニットは仮想副搬送波に対応する請求項１３に記載の通信装置。
【請求項２２】
前記第２のタイプの制御信号は、チャネル品質指示子（ＣＱＩ）及びＰＭＩ（Precoding Matrix Index）を備える請求項１３に記載の通信装置。
【請求項２３】
前記マッパーは、前記第１の特定シンボルに隣接する第２の特定シンボルにマッピングされる前記多重化した信号の前記データ信号の一部を上書きすることによって、前記第１のタイプの制御信号の少なくとも一部を前記第２の特定シンボルにマッピングするように構成されている請求項１３に記載の通信装置。
【請求項２４】
前記第１のタイプの制御信号は、前記第２のタイプの制御信号より高い優先順位を有する請求項１３に記載の通信装置。
【発明の詳細な説明】
【技術分野】
【０００１】
本発明は、移動通信技術に係り、特に、ＡＣＫ／ＮＡＣＫ信号、ＡＣＫ／ＮＡＣＫ信号以外の制御信号、及びデータ信号を含む上りリンク信号を伝送する技術に関するものである。
【背景技術】
【０００２】
移動通信システムのユーザ機器（ＵＥ）は、上りリンクを通じて様々な信号を伝送する。ＵＥが伝送する上りリンク信号は、データと制御信号とに大別することができる。また、上りリンクで伝送される制御信号には、ＨＡＲＱ通信のための上りリンクＡＣＫ／ＮＡＣＫ信号、チャネル品質指示子（ＣＱＩ）情報、ＰＭＩ（Precoding Matrix Index）などがある。
【０００３】
３ＧＰＰ ＬＴＥシステムでは、上りリンク信号伝送のために単一波周波数分割多元接続 (Single Carrier Frequency Division Multiplexing Access；ＳＣ−ＦＤＭＡ)方式を用いている。また、３ＧＰＰ ＬＴＥ方式では、一般に、上記の上りリンク信号のうちのデータ信号及び制御信号がまず多重化され、下りリンクデータに対する上りリンクＡＣＫ／ＮＡＣＫ信号伝送が要求される場合、上記の多重化された信号にＡＣＫ／ＮＡＣＫ信号がデータまたは制御信号をパンクチャリングすることによって伝送されると規定している。以下では、ＡＣＫ／ＮＡＣＫ信号とＡＣＫ／ＮＡＣＫ以外の制御信号とを区別して説明するために、「制御信号」は、ＡＣＫ／ＮＡＣＫ信号以外の制御信号のみを指し、ＡＣＫ／ＮＡＣＫ信号を「ＡＣＫ／ＮＡＣＫ信号」と呼ぶものとする。
【０００４】
一方、３ＧＰＰ ＬＴＥに関するアテネ会議（＃５０）では、制御情報をデータと共に多重化して伝送する場合、データ情報は制御情報と共にレートマッチングされ、全ての制御情報は参照信号に近接して伝送すると決定された。これは、一般に、データに比べて制御信号に高い信頼度が要求されるからであり、制御信号を参照信号に近接して伝送することによってチャネル推定性能を向上させるためである。
【０００５】
ただし、上りリンクで伝送される制御信号には、上記のように様々な信号が存在し、ＡＣＫ／ＮＡＣＫ信号には他の制御信号に比べてより高い信頼度が要求される。この場合、全ての制御信号を参照信号に近接させて伝送しながら上りリンクＡＣＫ／ＮＡＣＫ信号伝送が要求されると、ＡＣＫ／ＮＡＣＫ信号を、参照信号付近に配置された制御信号をパンクチャリングして伝送したり、または、ＡＣＫ／ＮＡＣＫ信号を参照信号に近接させて伝送することができないという問題があった。
【０００６】
そこで、上りリンク信号伝送においてＡＣＫ／ＮＡＣＫ信号及びそれ以外の制御情報間の優先順位を考慮してそれらをリソース領域に効率的に配置して伝送する技術が望まれる。
【発明の概要】
【発明が解決しようとする課題】
【０００７】
本発明は上記問題を解決するためのもので、その目的は、上りリンク信号の伝送において、ＡＣＫ／ＮＡＣＫ信号とそれ以外の制御情報間の優先順位を考慮してそれらをリソース領域に効率的に配置して伝送する方法を提供することにある。
【０００８】
本発明の他の目的は、上記の信号配置を用いて上りリンク信号を伝送する方法を提供することにある。
【課題を解決するための手段】
【０００９】
上記課題を解決するために、本発明の一実施形態では、ＡＣＫ／ＮＡＣＫ信号、ＡＣＫ／ＮＡＣＫ信号以外の制御信号、及びデータ信号を含む上りリンク信号を伝送する方法を提供する。この方法は、制御信号及びデータ信号を直列的に多重化する段階と、多重化された信号を、複数のシンボル及び複数の仮想副搬送波を含む特定リソース領域内で時間軸優先マッピング方式によって順次にマッピングする段階と、ＡＣＫ／ＮＡＣＫ信号を、参照信号の伝送されるシンボルに隣接する両方のシンボルに配置する段階と、を含む。
【００１０】
ここで、ＡＣＫ／ＮＡＣＫ信号は、多重化された信号の一部に上書きされてもよい。
【００１１】
また、上記方法は、特定リソース領域にマッピングされた信号を、複数のシンボルのそれぞれを単位として複数の仮想副搬送波のインデックスによって離散フーリエ変換（Discrete Furrier Transform；ＤＦＴ）する段階と、ＤＦＴされたシンボル単位信号に逆高速フーリエ変換（Inverse Fast Furrier Transform；ＩＦＦＴ）を行い、サイクリックプレフィックス（ＣＰ）を付加する段階と、ＣＰの付加されたシンボル単位信号をそれぞれＳＣ−ＦＤＭＡシンボルとして伝送する段階と、をさらに含むことが好ましい。
【００１２】
なお、特定リソース領域にマッピングされた信号を、物理上りリンク共有チャネル（ＰＵＳＣＨ）を通じて伝送する段階をさらに含むことが好ましい。
【００１３】
上記課題を解決するために、本発明の一実施形態では、ＡＣＫ／ＮＡＣＫ信号、ＡＣＫ／ＮＡＣＫ信号以外の制御信号、及びデータ信号を含む上りリンク信号を伝送する方法を提供する。この方法は、データ信号、制御信号、及びＡＣＫ／ＮＡＣＫ信号にそれぞれチャネルコーディングを行う段階と、それぞれチャネルコーディングされたデータ信号及び制御信号を直列的に多重化する段階と、多重化された信号を、複数のシンボル及び複数の仮想副搬送波で構成される特定リソース領域内で時間軸優先マッピング方式によって順次にマッピングする段階と、ＡＣＫ／ＮＡＣＫ信号を、参照信号の伝送されるシンボルに隣接する両方のシンボルに配置する段階と、を含むことが好ましい。
【００１４】
ここで、データ信号にチャネルコーディングを行う段階は、データ信号伝送のための伝送ブロックに伝送ブロック用ＣＲＣを付加する段階と、伝送ブロック用ＣＲＣの付加された伝送ブロックをコードブロック単位に分割し、分割されたコードブロックにコードブロック用ＣＲＣを付加する段階と、コードブロック用ＣＲＣの付加されたデータにチャネルコーディングを行う段階と、チャネルコーディングされたデータにレートマッチング及びコードブロック連結を行う段階と、を含むことが好ましい。
【発明の効果】
【００１５】
上記の本発明の実施形態では、上りリンク信号伝送においてＡＣＫ／ＮＡＣＫ信号及びそれ以外の制御情報をそれらの優先順位にしたがってリソース領域に効率的に配置して伝送することができる。
【００１６】
また、チャネル推定効果がさらに得られるように優先順位の高いＡＣＫ／ＮＡＣＫ信号を設定することができる。
【図面の簡単な説明】
【００１７】
【図１】ＳＣ−ＦＤＭＡ方式で信号を伝送する方法を説明するための送信端のブロック図である。
【図２】上りリンク信号伝送のためにデータ、制御情報及びＡＣＫ／ＮＡＣＫ信号を多重化する過程を説明するための図である。
【図３】本発明の一実施形態によって情報シーケンスを時間軸優先マッピング方式によってマッピングする例を説明する図である。
【図４】図３に示すように時間軸優先マッピング方式によってマッピングされた情報を、ＳＣ−ＦＤＭＡ方式で伝送する方法を説明する図である。
【図５】図３に示すように時間軸優先マッピング方式によってマッピングされた情報を、ＳＣ−ＦＤＭＡ方式で伝送する方法を説明する図である。
【図６】本発明の一実施形態によって上りリンク信号を伝送する方法を説明するための図である。
【図７】本発明の一実施形態によってＡＣＫ／ＮＡＣＫ情報を伝送する場合のうち、伝送すべきＡＣＫ／ＮＡＣＫ情報の数が多い場合における処理方法を説明するための図である。
【図８】本発明の一実施形態によってＡＣＫ／ＮＡＣＫ情報を伝送する場合のうち、伝送すべきＡＣＫ／ＮＡＣＫ情報の数が多い場合における処理方法を説明するための図である。
【図９】本発明の他の実施形態によってＡＣＫ／ＮＡＣＫ信号がデータの他に制御信号をもパンクチャリングして挿入される形態を示す図である。
【発明を実施するための形態】
【００１８】
以下、本発明の好適な実施形態を、添付の図面を参照しつつ詳細に説明する。添付の図面と共に以下に開示される詳細な説明は、本発明の例示的な実施形態を説明するためのもので、本発明の唯一の実施形態を表すためのものではない。以下の詳細な説明は、本発明の完全な理解を提供するために具体的な細部事項を含む。しかし、当業者には、本発明がそれらの具体的な細部事項がなくても実施できるということが理解できる。
【００１９】
一方、場合によっては、本発明の概念が曖昧になるのを避けるために、公知の構造及び装置を省略したり、各構造及び装置の核心機能を中心にしたブロック図の形式で示す。なお、本明細書全体において同一の構成要素については同一の符号を用いて説明する。
【００２０】
上述の通り、本発明の一実施形態では、上りリンク信号伝送において、ＡＣＫ／ＮＡＣＫ信号とそれ以外の制御情報間の優先順位を考慮してそれらをリソース領域に効率的に配置して伝送する方法を提供する。そのために、まず、３ＧＰＰ ＬＴＥシステムを取り上げて上りリンク信号伝送のための具体的な方法について説明する。
【００２１】
図１は、ＳＣ−ＦＤＭＡ方式で信号を伝送する方法を説明するための送信端のブロック図である。
【００２２】
３ＧＰＰ ＬＴＥシステムでは、上述した通り、ＳＣ−ＦＤＭＡ方式によって上りリンク信号を伝送する。具体的には、まず、伝送する情報シーケンスに、ＤＦＴを行うために直−並列変換を行う（１０１）。このように並列シーケンスに変換された信号にＤＦＴが行われ（１０２）、その後、単一搬送波特性を有するようにＩＦＦＴを行うことができる（１０３）。このとき、ＩＦＦＴモジュール１０３に挿入される情報の長さは、ＩＦＦＴモジュール１０３の大きさと一致しなくても良いが、ＤＦＴモジュール１０２でＤＦＴされた結果が、連続したＩＦＦＴ入力インデックスでマッピングされることが要求される。
【００２３】
ＩＦＦＴを経た値は、続いて並−直列変換モジュール１０４により直列信号に変換される。その後、この信号は、サイクリックプレフィックス（Cyclic Prefix、以下、「ＣＰ」と称する。）が付加されてＯＦＤＭシンボルの構造形態に変更され（１０５）、実時空間に伝送される。
【００２４】
このようなＳＣ−ＦＤＭＡ方式によれば、単一搬送波性質を維持しながらも、低いピーク対平均電力比（Peak Power-to-Average Power Ratio；ＰＡＰＲ）及び／またはＣＭ（Cubic Metric）を有するという利点がある。ただし、このように単一搬送波の性質を維持しながらも、低いＰＡＰＲ／ＣＭ条件を満たすためには、ＯＦＤＭ形式でＩＦＦＴモジュール１０３にＤＦＴプリコーディングされた情報を入力する時に、情報を連続したインデックスでマッピングして入力することが要求される。すなわち、ＯＦＤＭの連続した副搬送波にＤＦＴプリコーディングされた情報を挿入することが要求される。したがって、上りリンクで情報を伝送する時には、異なる性質の情報（例えば、制御情報とデータ情報）であっても共に多重化され、一度でＤＦＴプリコーディングされてＯＦＤＭ方式で伝送されることが好ましい。
【００２５】
以下、データと制御情報との多重化過程について説明する。
【００２６】
図２は、上りリンク信号伝送のためにデータ、制御情報、及びＡＣＫ／ＮＡＣＫ信号を多重化する過程を説明するための図である。
【００２７】
制御情報と多重化されるデータ情報は、上りリンクで伝送すべき伝送ブロック（Transport Block、以下、「ＴＢ」と称する。）にＴＢ用ＣＲＣを付加した後（Ｓ２０１）、ＴＢの大きさによって複数のコードブロック（Code block、以下、「ＣＢ」と称する。）に分けられる（Ｓ２０２）。その後、複数のＣＢにはＣＢ用ＣＲＣが付加され（Ｓ２０３）、この結果の値にチャネルコーディングが行われる（Ｓ２０４）。なお、これらのチャネルコーディングされたデータはレートマッチング（Ｓ２０５）された後、これらのＣＢは互いに結合され（Ｓ２０６）、こうして連結されたＣＢは、制御情報と多重化される（Ｓ２３０）。一方、以上の過程は、データ伝送ブロックに対するチャネルコーディングチェーンによるものである場合がある。
【００２８】
一方、制御情報は、データと別にチャネルコーディングすることもできる（Ｓ２１１）。このようにチャネルコーディングされた制御情報は、以降、データ及び制御チャネルレートマッピング多重化器によりデータ及び制御情報多重化を行うことができる（Ｓ２３０）。
【００２９】
一方、ＡＣＫ／ＮＡＣＫ信号は、データ及び制御信号とは別にチャネルコーディングが行われ（Ｓ２２１）、データ及び制御信号多重化（Ｓ２３０）がなされた上りリンク信号のうち一部をパンクチャリングするなどの処理によって上りリンクで伝送することができる（Ｓ２４０）。
【００３０】
上述したように、上りリンクでデータと共に伝送可能な制御情報は、２種類、即ち、下りリンクデータに対する確認信号である上りリンク（ＵＬ）ＡＣＫ／ＮＡＣＫ信号とそれ以外の制御情報とに分類することができる。下りリンクデータに対するＡＣＫ／ＮＡＣＫ信号は、下りリンクデータが存在する時にのみ伝送される。端末機（ＵＥ）は、ＵＬ ＡＣＫ／ＮＡＣＫ信号を伝送しなければならないにも関らず、下りリンクデータを受信するか否かを知らない場合があり、よって、上記の２種類の制御情報を区別してデータと共に上りリンクで伝送する。したがって、以下の説明では、ＡＣＫ／ＮＡＣＫ信号とＡＣＫ／ＮＡＣＫ以外の別に伝送される任意の制御信号とを区別して説明するために、「制御信号」は、ＡＣＫ／ＮＡＣＫ信号以外の任意の制御信号とし、ＡＣＫ／ＮＡＣＫ信号は「ＡＣＫ／ＮＡＣＫ信号」と称するものとする。より具体的な実施形態では、上記制御信号を、ＡＣＫ／ＮＡＣＫの他にランク指示子も排除した制御信号とすることもできる。すなわち、特定実施形態では、制御信号がＣＱＩ及びＰＭＩを表すことができる。ただし、以下の説明は、上記の制御信号、データ及びＡＣＫ／ＮＡＣＫ信号間の効率的な配置に関するものであるから、説明の便宜上、制御信号はＡＣＫ／ＮＡＣＫ以外の制御信号である限り、その具体的な形態を提案しないものとする。
【００３１】
データ情報が上りリンクで伝送される時、データ情報を制御情報と共に伝送することができ、データ情報及び制御情報と共にＡＣＫ／ＮＡＣＫ情報も伝送することができる。また、データ情報及びＡＣＫ／ＮＡＣＫ情報のみを共に上りリンクで伝送することもできる。
【００３２】
データ情報を制御情報あるいはＡＣＫ／ＮＡＣＫ情報と多重化して伝送するために生成された伝送情報シーケンスは、ＳＣ−ＦＤＭＡ方式で伝送することができる。この場合、伝送情報シーケンスは、時間軸優先マッピング方法によってリソース領域にマッピングして伝送することができる。
【００３３】
例えば、伝送される情報シーケンスが１個のリソースブロック、すなわち、１２個のＯＦＤＭ副搬送波を用いて伝送されるとし、情報は、１サブフレームを通じて伝送されるとする。また、１サブフレームは１４個のＳＣ−ＦＤＭＡシンボルで構成されており、これらのうちの２個のＳＣ−ＦＤＭＡシンボルを、パイロット信号である参照信号に用いるとする。このとき、上りリンクで伝送できる情報の変調シンボルの数は、１２＊１２＝１４４個となる。
【００３４】
１４４個の情報シーケンスシンボルを１２個の仮想副搬送波と１２個のＳＣ−ＦＤＭＡシンボルを通じて伝送することができる。これを１２×１２の行列構造で表したものを時間−周波数マッパーとし、上りリンクで伝送すべき情報シーケンスは、ＳＣ−ＦＤＭＡシンボル軸にまず一個ずつマッピングされる。ＳＣ−ＦＤＭＡシンボルは時間上で区分されている点で、時間軸優先マッピングと呼ぶ。
【００３５】
図３は、本発明の一実施形態によって情報シーケンスを時間軸優先マッピング方式でマッピングする例を説明する図であり、図４及び図５は、図３に示すように、時間軸優先マッピング方式によってマッピングされた情報を、ＳＣ−ＦＤＭＡ方式で伝送する方法を説明する図である。
【００３６】
上りリンクで伝送すべき情報シーケンスは、時間−周波数マッパーで時間軸にまずシーケンスを図３のように整列する。すなわち、１２個の情報が１番目の仮想副搬送波領域で時間軸方向にマッピングされ、次に、２番目の仮想副搬送波領域で後続する１２個の情報が時間軸方向にマッピングされる。
【００３７】
このように時間−周波数マッピングを行った後、図４及び図５に示すように、周波数軸に整列されたシーケンスにＤＦＴ過程を行い、所望の周波数帯域に挿入する。その後、各周波数領域情報にはＩＦＦＴ及びサイクリックプレフィックス（ＣＰ）挿入が行われ、各周波数領域情報はＳＣ−ＦＤＭＡシンボルとして伝送することができる。図４及び図５は、このようにＳＣ−ＦＤＭＡシンボルを生成して伝送する過程を示しており、特に、図４は一般ＣＰを用いる場合を、図５は拡張型ＣＰを用いる場合を示している。
【００３８】
上りリンクではデータを伝送する時に制御情報も同時に伝送することができる。この時、制御情報とデータ情報とはレートマッチングを通じて多重化される。しかし、ＡＣＫ／ＮＡＣＫ情報は、データ及び制御情報が多重化されたシンボルまたは単にデータ情報のビットストリームに上書きして伝送することができる。ここで、「上書きする」という言葉は、リソース領域にマッピングされた特定情報を除去し、当該領域にマッピングするということを意味し、これを通じて特定情報を挿入しながらも挿入後に情報全体の長さを同一に維持することができる。このような過程はパンクチャリング等で表現することもできる。
【００３９】
一般的に、制御情報は、データに比べて高い信頼度を有すべきであり、そのためには、参照信号の近辺に多重化または挿入されなければならない。この場合、チャネル推定性能の効果が得られ、性能向上を期待することができる。
【００４０】
ただし、制御情報の他にＡＣＫ／ＮＡＣＫ情報も受信端で高い信頼度が要求されるので、一般の制御情報を全て参照信号の付近に配置する場合は、ＡＣＫ／ＮＡＣＫ信号との優先順位を考慮しなければならない。
【００４１】
したがって、以下の説明では、データ情報ビットストリーム、制御情報ビットストリーム、そしてＡＣＫ／ＮＡＣＫ情報シーケンスの多重化時に、各情報に対して異なる優先順位を与えて多重化する方法について、本発明の様々な実施形態として説明する。
【００４２】
本発明の一実施形態では、制御情報をデータ情報と直列的に多重化して、上述の時間軸優先マッピング方式によって多重領域にマッピングする方法を提案する。ここで、制御情報とデータ情報を「直列的に多重化」するということは、多重化した結果に対応するシーケンスに制御情報をマッピングした後に連続してデータをマッピングする方式、またはその逆順のマッピング方式を意味するとする。また、ＡＣＫ／ＮＡＣＫ信号は、パイロットである参照信号が伝送されるシンボルに隣接する両方のシンボルを通じて伝送されるように配置することを提案する。
【００４３】
図６は、本発明の一実施形態によって上りリンク信号を伝送する方法を説明するための図である。
【００４４】
本実施形態では、制御情報とデータ情報とが多重化される時に直列的に連結されて、時間軸優先マッピング方式によりＳＣ−ＦＤＭＡシンボルにマッピングされて上りリンクに伝送されることを提案する。もし、ＡＣＫ／ＮＡＣＫ情報も伝送しなければならない場合は、直列的に多重化されたデータのうち、参照信号付近に位置している変調シンボルをパンクチャリングしてＡＣＫ／ＮＡＣＫ信号を挿入することを提案する。図６で、符号６０１は、ＡＣＫ／ＮＡＣＫ信号が伝送されない場合、データ及び制御信号が直列的に多重化された形態を示すものであり、符号６０２は、上りリンクでＡＣＫ／ＮＡＣＫ信号を伝送しなければならない場合、ＡＣＫ／ＮＡＣＫ信号が、多重化されたデータをパンクチャリングして配置される形態を示すものである。また、符号６０３は、符号６０２のような情報シーケンスが時間軸優先マッピング方式によって時間−周波数領域にマッピングされた形態を示している。図６の符号６０３で、参照信号はシンボルインデックス＃３及び＃４の間及びシンボルインデックス＃９及び＃１０の間を通じて伝送されるとする。
【００４５】
図６の符号６０３に示すマッピング形態からわかるように、制御信号及びデータは直列的に連結して多重化された後、時間軸優先マッピング方式によって時間−周波数領域でマッピングされ、ＡＣＫ／ＮＡＣＫ信号は、参照信号が伝送されるＳＣ−ＦＤＭＡシンボルの両側の２個のシンボル（図６では、シンボル＃３、４、９及び１０）に多重化されたデータ信号に上書きして伝送されるように設定することができる。
【００４６】
図７及び図８は、本発明の一実施形態によってＡＣＫ／ＮＡＣＫ情報を伝送する場合のうち、伝送すべきＡＣＫ／ＮＡＣＫ情報の数が多い場合における処理方法を説明するための図である。
【００４７】
具体的に、伝送すべきＡＣＫ／ＮＡＣＫ情報の数が、参照信号の前後にデータが伝送される（仮想周波数領域の）副搬送波の個数よりも多い時、ＡＣＫ／ＮＡＣＫ情報は、参照信号に最も近接する両方のシンボルの他に、追加のＳＣ−ＦＤＭＡシンボルを通じて伝送することができる。図７及び図８では、参照シンボルに隣接する両方のシンボルの他に、参照シンボルに近接する順番に従う追加のシンボルを通じてＡＣＫ／ＮＡＣＫを伝送する場合を示している。
【００４８】
このとき、図８に示すように、上りリンクのＳＣ−ＦＤＭＡサブフレームの構造によって参照信号を中心に存在するＳＣ−ＦＤＭＡシンボルの数が対称に構成されない場合もある。したがって、ＡＣＫ／ＮＡＣＫ情報をパンクチャリングして挿入する時にはこれを考慮して挿入しなければならない。
【００４９】
本発明の上記実施形態によって制御情報が時間軸上で整列されるとき、制御情報はデータ情報と順次に整列してリソース領域にマッピングすることができる。また、ＡＣＫ／ＮＡＣＫ情報が参照信号の付近に配置される場合、ＡＣＫ／ＮＡＣＫ情報が上書きする情報は、データ情報だけでなく制御情報も可能である。
【００５０】
図９は、本発明の他の実施形態によってＡＣＫ／ＮＡＣＫ信号が、データの他に制御信号をもパンクチャリングして挿入される形態を示す図である。
【００５１】
実質的にＡＣＫ／ＮＡＣＫ情報も制御情報であるから、本実施形態では、制御情報チャネル相互間に優先順位を与え、高い優先順位を有する制御情報チャネルは、チャネル推定の保護を受けるために参照信号の付近に配置し、優先順位の比較的低い制御情報チャネルは、時間上に順次にマッピングして伝送することを提案する。特に、本実施形態では、制御情報及びＡＣＫ／ＮＡＣＫ情報のうち、ＡＣＫ／ＮＡＣＫ情報が制御情報よりも優先順位が高いとする。このとき、制御情報はデータと共に時間軸優先マッピング方式によって時間上に順次に整列されてデータと多重化され、ＡＣＫ／ＮＡＣＫ情報は、参照信号の付近に位置するデータ／制御情報をパンクチャリングして挿入することを提案する。
【００５２】
具体的に、図９の符号９０１は、ＡＣＫ／ＮＡＣＫ信号を伝送する必要がない場合、データ及び制御信号を多重化した形態を示し、図９の符号９０２は、ＡＣＫ／ＮＡＣＫ信号を伝送すべき場合、データ、制御信号及びＡＣＫ／ＮＡＣＫ信号の多重化された形態を示す図である。なお、図９の符号９０３は、符号９０２のように多重化された上りリンク信号を、時間−周波数領域にマッピングして伝送する形態を示している。
【００５３】
図９の符号９０３に示すように、本実施形態では、ＡＣＫ／ＮＡＣＫを、参照信号の付近にマッピングされたデータの他に制御信号もパンクチャリングして挿入することができる。このように制御情報間に優先順位を与えてリソースマッピングをすると、ＡＣＫ／ＮＡＣＫ情報は参照信号の付近にあるため、良いチャネル推定効果を示すことができる。一方、ＡＣＫ／ＮＡＣＫ情報によってパンクチャリングされてなくなる制御情報の数は少ないから、性能が大きく低下することはない。図９に示す一実施形態で、ＡＣＫ／ＮＡＣＫ信号は、仮想周波数軸に均等に分布した制御信号／データをパンクチャリングすることができる。すなわち、ＡＣＫ／ＮＡＣＫ信号によりパンクチャリングされうる仮想副搬送波の個数が「Ｎ」で、ＳＣ−ＦＤＭＡシンボル当たり伝送されるＡＣＫ／ＮＡＣＫ信号の個数が「ｍ」である場合、ＡＣＫ／ＮＡＣＫ信号は、「Ｎ／ｍ」またはこれと同等な間隔で均等に分布した制御信号／データをパンクチャリングすることができる。
【００５４】
また、制御情報とデータ情報との多重化が、簡単で連続して伝送される構造とされるため、多重化ブロックを簡単に具現することができる。
【００５５】
以下では、以上の本発明の実施形態によって上りリンク信号を伝送する全般的な手順について説明する。説明の便宜上、図２を参照して説明する。
【００５６】
本発明の各実施形態によって上りリンク信号を伝送するために、送信側は、データ、制御信号及びＡＣＫ／ＮＡＣＫ信号にそれぞれチャネルコーディングを行う。各上りリンク信号に対するチャネルコーディングは、図２に示すように、独立して行うことができる。
【００５７】
この場合、データ信号にチャネルコーディングを行う過程は、図２に示すように、データ信号伝送のためのＴＢにＴＢ用ＣＲＣを付加する過程（Ｓ２０１）、ＴＢ用ＣＲＣの付加されたＴＢをＣＢ単位に分割し（Ｓ２０２）、これらの分割されたＣＢにＣＢ用ＣＲＣを付加する過程（Ｓ２０３）、ＣＢ用ＣＲＣの付加されたデータにチャネルコーディングを行う過程（Ｓ２０４）、及び、チャネルコーディングされたデータにレートマッチング（Ｓ２０６）及びＣＢ連結（Ｓ２０７）を行う過程を含むことができる。
【００５８】
本発明の一実施形態では、このようにそれぞれチャネルコーディングされたデータ及び制御信号を直列的に多重化することを提案する。直列的多重化は、順次のインデックスにデータをマッピングした後、続いて制御信号をマッピングしたり、その逆の順序でマッピングすることを意味する。一方、こうして多重化された信号は、複数のシンボル（例えば、１２個のＳＣ−ＦＤＭＡシンボル）及び複数の仮想副搬送波で構成される特定リソース領域内で優先的に時間軸方向に順次にマッピングすることができる。
【００５９】
なお、本実施形態で、ＡＣＫ／ＮＡＣＫ信号は、複数のシンボルのうち、参照信号の伝送されるシンボルに隣接するシンボルに配置することが好ましい。
【００６０】
以上の本発明の好適な実施形態についての詳細な説明は、当業者が本発明を具現し実施できるように提供された。以上では本発明の好適な実施形態を例に挙げて本発明を説明したが、当該技術分野における当業者には、添付の特許請求の範囲に記載された本発明の思想及び領域を逸脱しない範囲内で本発明を様々に修正及び変更が可能であるということが理解できる。
【００６１】
したがって、本発明は、ここに開示された実施形態に制限されるものではなく、ここに開示された原理及び新規の特徴と一致する最も広い範囲を有するものである。
【産業上の利用可能性】
【００６２】
上記の実施形態についての説明は、３ＧＰＰ ＬＴＥ方式システムの他に、上りリンクを通じてデータ、制御信号及びＡＣＫ／ＮＡＣＫ信号を伝送することが要求される様々なシステムに適用可能である。
【図１】
0006568254.tif 000002
【図２】
0006568254.tif 000003
【図３】
0006568254.tif 000004
【図４】
0006568254.tif 000005
【図５】
0006568254.tif 000006
【図６】
0006568254.tif 000007
【図７】
0006568254.tif 000008
【図８】
0006568254.tif 000009
【図９】
0006568254.tif 000010